【手続補正書】
【提出日】平成27年6月5日(2015.6.5)
【手続補正１】
【補正対象書類名】明細書
【補正対象項目名】０００９
【補正方法】変更
【補正の内容】
【０００９】
本発明に係る撮像装置は、光学系により被写体の像を結像することで撮像を行う撮像部と、前記撮像部で撮像を行う際のピント位置、絞り値、ズーム倍率のうちの少なくとも一つを含む撮像パラメータを設定する操作手段と、前記操作手段により設定された前記撮像パラメータを用いて前記撮像部により撮像された複数の画像データを取得する取得手段と、前記取得手段により取得された前記複数の画像データの合成に用いる合成パラメータを、前記操作手段を前記複数の画像データの撮像後に操作することで行われたユーザ入力に基づいて設定する設定手段と、前記設定手段により設定された前記合成パラメータを用いて前記複数の画像データを合成することで合成画像データを生成する合成手段とを有することを特徴とする。
【手続補正２】
【補正対象書類名】特許請求の範囲
【補正対象項目名】全文
【補正方法】変更
【補正の内容】
【特許請求の範囲】
【請求項１】
光学系により被写体の像を結像することで撮像を行う撮像部と、
前記撮像部で撮像を行う際のピント位置、絞り値、ズーム倍率のうちの少なくとも一つを含む撮像パラメータを設定する操作手段と、
前記操作手段により設定された前記撮像パラメータを用いて前記撮像部により撮像された複数の画像データを取得する取得手段と、
前記取得手段により取得された前記複数の画像データの合成に用いる合成パラメータを、前記操作手段を前記複数の画像データの撮像後に操作することで行われたユーザ入力に基づいて設定する設定手段と、
前記設定手段により設定された前記合成パラメータを用いて前記複数の画像データを合成することで合成画像データを生成する合成手段と
を有することを特徴とする撮像装置。
【請求項２】
前記合成画像データは、前記複数の画像データの撮像に用いられた撮像パラメータとは異なる撮像パラメータに対応する画像データであることを特徴とする請求項１に記載の撮像装置。
【請求項３】
前記操作手段は、前記光学系の鏡筒に備えられた、前記撮像部で撮像を行う際のピント位置を設定するフォーカス調整リングを含み、
前記設定手段は、前記複数の画像データの撮像後に前記フォーカス調整リングの操作により行われた前記ユーザ入力に基づいて、前記合成画像データにおいてピントが合う仮想ピント位置を設定する
ことを特徴とする請求項１又は２に記載の撮像装置。
【請求項４】
前記操作手段は、前記光学系の鏡筒に備えられた、前記撮像部で撮像を行う際の絞り値を設定する絞り調整リングを含み、
前記設定手段は、前記複数の画像データの撮像後に前記絞り調整リングの操作により行われた前記ユーザ入力に基づいて、前記合成画像データの被写界深度に対応する仮想絞り値を設定する
ことを特徴とする請求項１乃至３のいずれか一項に記載の撮像装置。
【請求項５】
前記操作手段は、前記光学系の鏡筒に備えられた、前記撮像部で撮像を行う際のズーム倍率を設定するズーム調整リングを含み、
前記設定手段は、前記複数の画像データの撮像後に前記ズーム調整リングの操作により行われた前記ユーザ入力に基づいて、前記合成画像データの画角に対応する仮想ズーム倍率を設定する
ことを特徴とする請求項１乃至４のいずれか一項に記載の撮像装置。
【請求項６】
前記操作手段は、電子ダイヤルであることを特徴とする請求項１又は２に記載の撮像装置。
【請求項７】
前記複数の画像データは、同じ被写体を複数の異なる視点から撮像した画像データであることを特徴とする請求項１乃至６のいずれか一項に記載の撮像装置。
【請求項８】
前記撮像装置の姿勢を示す姿勢情報を取得する姿勢取得手段を更に有し、
前記合成手段は、前記姿勢情報に応じて前記合成画像データでピントが合う仮想ピント面の傾きを変更する
ことを特徴とする請求項１乃至７のいずれか一項に記載の撮像装置。
【請求項９】
光学系により被写体の像を結像することで撮像を行う撮像部と、
操作することで、前記撮像部で撮像を行う際のピント位置、絞り値、ズーム倍率のうちの少なくとも一つを含む撮像パラメータを設定する操作手段と、
前記操作手段の操作により設定された前記撮像パラメータを用いて前記撮像部により撮像された複数の画像データを合成することで生成された、それぞれ異なる合成パラメータに対応する複数の合成画像データを保持する保持手段と、
前記操作手段を前記複数の画像データの撮像後に操作することで行われたユーザ入力に基づいて、前記複数の合成画像データのうちの少なくとも一枚を選択する選択手段と、
前記選択手段により選択された前記合成画像データを表示する表示手段と
を有することを特徴とする撮像装置。
【請求項１０】
光学系により被写体の像を結像することで撮像を行う撮像部と、
操作することで、前記撮像部で撮像を行う際のピント位置、絞り値、ズーム倍率のうちの少なくとも一つを含む撮像パラメータを設定する操作手段と、
前記操作手段の操作により設定された前記撮像パラメータを用いて前記撮像部により撮像された、それぞれが異なる撮像パラメータに対応する複数の画像データを取得する取得手段と、
前記操作手段を前記複数の画像データの撮像後に操作することで行われたユーザ入力に基づいて、前記複数の画像データのうちの少なくとも一枚を選択する選択手段と、
前記選択手段により選択された前記画像データを表示する表示手段と
を有することを特徴とする撮像装置。
【請求項１１】
光学系により被写体の像を結像することで撮像を行う撮像部と、
操作することで、前記撮像部で撮像を行う際のピント位置、絞り値、ズーム倍率のうちの少なくとも一つを含む撮像パラメータを設定する操作手段と、を有する撮像装置に接続される画像処理装置であって、
前記操作手段の操作により設定された前記撮像パラメータを用いて前記撮像部により撮像された複数の画像データを取得する取得手段と、
前記取得手段により取得された前記複数の画像データの合成に用いる合成パラメータを、前記操作手段を前記複数の画像データの撮像後に操作することで行われたユーザ入力に基づいて設定する設定手段と、
前記設定手段により設定された前記合成パラメータを用いて前記複数の画像データを合成することで合成画像データを生成する合成手段と
を有することを特徴とする画像処理装置。
【請求項１２】
光学系により被写体の像を結像することで撮像を行う撮像部と、
操作することで、前記撮像部で撮像を行う際のピント位置、絞り値、ズーム倍率のうちの少なくとも一つを含む撮像パラメータを設定する操作手段と、を有する撮像装置に接続される画像処理装置により実行される画像処理方法であって、
前記操作手段の操作により設定された前記撮像パラメータを用いて前記撮像部により撮像された複数の画像データを取得する取得工程と、
前記取得工程で取得された前記複数の画像データの合成に用いる合成パラメータを、前記操作手段を前記複数の画像データの撮像後に操作することで行われたユーザ入力に基づいて設定する設定工程と、
前記設定工程で設定された前記合成パラメータを用いて前記複数の画像データを合成することで合成画像データを生成する合成工程と
を含むことを特徴とする画像処理方法。
【請求項１３】
光学系により被写体の像を結像することで撮像を行う撮像部と、
操作することで、前記撮像部で撮像を行う際のピント位置、絞り値、ズーム倍率のうちの少なくとも一つを含む撮像パラメータを設定する操作手段と、を有する撮像装置に接続された、前記操作手段の操作により設定された前記撮像パラメータを用いて前記撮像部により撮像された複数の画像データを合成することで生成された、それぞれ異なる合成パラメータに対応する複数の合成画像データを保持する保持手段を有する画像処理装置により実行される画像処理方法であって、
前記操作手段を前記複数の画像データの撮像後に操作することで行われたユーザ入力に基づいて、前記複数の合成画像データのうちの少なくとも一枚を選択する選択工程と、
前記選択工程により選択された前記合成画像データを表示する表示工程と
を含むことを特徴とする画像処理方法。
【請求項１４】
光学系により被写体の像を結像することで撮像を行う撮像部と、
操作することで、前記撮像部で撮像を行う際のピント位置、絞り値、ズーム倍率のうちの少なくとも一つを含む撮像パラメータを設定する操作手段と、を有する撮像装置に接続される画像処理装置により実行される画像処理方法であって、
前記操作手段の操作により設定された前記撮像パラメータを用いて前記撮像部により撮像された、それぞれが異なる撮像パラメータに対応する複数の画像データを取得する取得工程と、
前記操作手段を前記複数の画像データの撮像後に操作することで行われたユーザ入力に基づいて、前記複数の画像データのうちの少なくとも一枚を選択する選択工程と、
前記選択工程により選択された前記画像データを表示する表示工程と
を含むことを特徴とする画像処理方法。
【請求項１５】
プロセッサを有するカメラを請求項１乃至１０のいずれか一項に記載の撮像装置として機能させるためのプログラム。
【請求項１６】
コンピュータを請求項１１に記載の画像処理装置として機能させるためのプログラム。